(57)【要約】      （修正有）【課題】タイヤ等の物品全体の汚損を防止でき、しかも物品もよく見えて、更に複数のサイズの物品に対応することができる環状物品のカバーを提供する。【解決手段】環状物品のカバーの本体部３の長手方向の両端部分を重ね合わせ、且つ幅方向の両端部をタイヤＴの穴Ｔａ内で重ね合わせる。そして、チャックテープ７の雄側部７ａと雌側部７ｂとを重ね合わせて押圧して、雄側部７ａが雌側部７ｂに嵌り込んで連結される。これにより、本体部３を幅方向の中心部分で曲げた状態で幅方向の両端部分が連結されて、環状物品のカバーがタイヤＴに装着される。【選択図】図４
2012025412.tif 000002
【特許請求の範囲】
【請求項１】
長手方向へ湾曲面が連続し、且つ円弧を描くように連続して曲がっている形状に形成された帯状の本体部と、前記本体部を幅方向の中心部分で曲げた状態で幅方向の両端部分を連結するチャック手段とを有することを特徴とする環状物品のカバー。
【請求項２】
請求項１に記載した環状物品のカバーにおいて、本体部には長手方向へ並ぶ多数の小孔が形成されていることを特徴とする環状物品のカバー。
【請求項３】
請求項１または２記載した環状物品のカバーにおいて、本体部は透明プラスチックシートによって構成されていることを特徴とする環状物品のカバー。
【請求項４】
請求項１から３に記載した環状物品のカバーにおいて、一端部から引き出し自在に巻かれていることを特徴とする環状物品のカバー。
【発明の詳細な説明】
【技術分野】
【０００１】
本発明はタイヤ等の環状物品のカバーに関するものである。
【背景技術】
【０００２】
カー用品の小売店等においてタイヤを陳列する場合に、汚損防止のためタイヤをプラスチック製の袋に収容することがある。このようにタイヤを袋に収容すると、タイヤが見え難くなってしまう不都合がある。また、タイヤには種々のサイズがあるため、それに応じて種々のサイズの袋を準備しなくてはならないという問題もある。
これに対応したものとして特許文献１に記載された陳列用タイヤカバーがある。このものは帯状体をタイヤ外周接地面に巻き、幅方向の両端部に形成された袋状穴に通された紐体を、袋状穴に複数配設された引出穴から引き出して結束することにより、タイヤに取り付けるようになっている。
【先行技術文献】
【特許文献】
【０００３】
【特許文献１】特開２００３−４０３７５
【発明の概要】
【発明が解決しようとする課題】
【０００４】
しかしながら、上記従来の陳列用タイヤカバーでは、タイヤ外周接地面のみを覆うので、タイヤ側面の汚損を防止することができないという問題がある。
本発明は上記従来の問題点に着目して為されたものであり、タイヤ等の物品全体の汚損を防止でき、しかも物品もよく見えて、更に一つで複数のサイズの物品に対応することができる環状物品のカバーの提供を、その目的とする。
【課題を解決するための手段】
【０００５】
本発明は上記課題を解決するためになされたものであり、請求項１の発明は、長手方向へ湾曲面が連続し、且つ円弧を描くように連続して曲がっている形状に形成された帯状の本体部と、前記本体部を幅方向の中心部分で曲げた状態で幅方向の両端部分を連結するチャック手段とを有することを特徴とする環状物品のカバーである。
【０００６】
請求項２の発明は、請求項１に記載した環状物品のカバーにおいて、本体部には長手方向へ並ぶ多数の小孔が形成されていることを特徴とする環状物品のカバーである。
【０００７】
請求項３の発明は、請求項１または２記載した環状物品のカバーにおいて、本体部は透明プラスチックシートによって構成されていることを特徴とする環状物品のカバーである。
【０００８】
請求項４の発明は、請求項１から３に記載した環状物品のカバーにおいて、一端部から引き出し自在に巻かれていることを特徴とする環状物品のカバーである。
【発明の効果】
【０００９】
本発明の環状物品のカバーによれば、タイヤ等の物品全体の汚損を防止でき、しかも包まれた物品も外部からよく見える。更に一つの環状物品のカバーで、複数のサイズの物品に対応することが可能である。
【図面の簡単な説明】
【００１０】
【図１】本発明の実施の形態に係る環状物品のカバーが巻かれた状態の斜視図である。
【図２】図１の環状物品のカバーを所定の長さに切断してタイヤに巻き付ける作業を示す斜視図である。
【図３】図１の環状物品のカバーを所定の長さに切断してタイヤに巻き付けた状態を示す斜視図である。
【図４】図３のＡ−Ａ断面図である。
【図５】図１の環状物品のカバーを所定の長さに切断してタイヤを包んだ状態を示す平面図である。
【図６】図５に示すタイヤより一回り大きいタイヤを包んだ状態を示す平面図である。
【図７】図５に示すタイヤより一回り小さいタイヤを包んだ状態を示す平面図である。
【発明を実施するための形態】
【００１１】
本発明の実施の形態に係る環状物品のカバー１を図面にしたがって説明する。
符号３は本体部を示し、この本体部３は、滑り止め剤が混入された透明なポリエチレン、塩化ビニル等の熱可塑性プラスチック製シートによって構成されている。
本体部３は長尺な帯状に形成され、幅方向へ湾曲していて、長手方向へ湾曲面５が連続している。しかも、本体部３は、長手方向へ円弧を描くように連続して曲がっている形状に形成されている。すなわち、本体部３は長手方向へ連続してカーブする形状となっている。
【００１２】
また、本体部３は、その幅方向の両端部分を連結するチャック手段としてのチャックテープ７が形成されており、このチャックテープ７は雄側部７ａと雌側部７ｂとよって構成されている。チャックテープ７は雄側部７ａと雌側部７ｂとを重ね合わせて押圧することにより、雄側部７ａが雌側部７ｂに嵌り込んで連結でき、ある程度の力で引っ張れば連結を解除することができる。雄側部７ａは本体部３の図１において上端側（本体部３の幅方向の一端側）に形成され、雌側部７ｂは下端側（本体部３の幅方向の他端側）に形成されている。雄側部７ａと雌側部７ｂは本体部３の長手方向に連続して延びている。
【００１３】
本体部３には、その長手方向に多数の小孔１１が等間隔に二列に並んで配設されている。小孔１１の一列は雄側部７ａから幅方向の中心へ僅かに寄った位置に備えられ、他の一列は雌側部７ｂから幅方向の中心へ僅かに寄った位置に備えられている。
【００１４】
図１に示すように、環状物品のカバー１は所定の円環状に巻かれており、その一端部を引っ張ることにより、引き出すことができるようになっている。なお、この巻かれた状態の環状物品のカバー１は、図示しない上面が開口する浅い段ボール箱等に入れておく。
【００１５】
次に、環状物品のカバー１によって環状物品としての自動車用のタイヤＴを包む作業について説明する。
まず、図１に示すように、円環状に巻かれた環状物品のカバー１をタイヤＴのサイズに応じた長さ寸法、すなわちタイヤＴの外周の寸法より多少長い寸法を引き出して切断する。
【００１６】
そして、図２に示すように、環状物品のカバー１をタイヤＴの外周面側から被せる。環状物品のカバー１の本体部３は湾曲面５が連続して形成され、しかも、長手方向へ円弧を描くように連続して曲がっている形状となっているので、環状物品のカバー１をタイヤＴの湾曲に沿うように、スムーズに巻き付けることができる。
【００１７】
次いで、図３、図５に示すように、環状物品のカバー１の本体部３の長手方向の両端部分を重ね合わせ、且つ幅方向の両端部をタイヤＴの穴Ｔａ内で重ね合わせる。そして、チャックテープ７の雄側部７ａと雌側部７ｂとを重ね合わせて押圧して、雄側部７ａが雌側部７ｂに嵌り込んで連結される（図４参照）。これにより、本体部３を幅方向の中心部分で曲げた状態で幅方向の両端部分が連結されて、環状物品のカバー１がタイヤＴに装着される。なお、必要に応じてタイヤＴに装着した環状物品のカバー１の本体部３の一端部を本体部３の他端部に止めるため、当該本体部３の一端部と他端部に跨るように粘着テープ等を巻き付けてもよい。
【００１８】
このように環状物品のカバー１によってタイヤＴを包めば、タイヤＴの一部が露出することなく、隙間なく全体を覆うことができるので、タイヤＴ全体の汚損を防止することができる。しかも本体部３はタイヤＴを、その形状に沿う状態で覆い、且つ本体部３は透明なプラスチック製シートによって構成されているので、環状物品のカバー１内のタイヤＴは外部からよく見える。従って、環状物品のカバー１はカー用品の小売店等においてタイヤＴを陳列する場合に使用するのに好適である。
また、本体部３は滑り止め剤が混入されたプラスチック製シートによって構成されているので、環状物品のカバー１によって包んだタイヤＴどうしを互いに重なるように積んだ場合でも、滑ってずれるなどの不都合を防止することができる。
【００１９】
本体部３には小孔１１が形成されており、この小孔１１は図４に示すようにタイヤＴの内周面の開口に対応して位置するので、環状物品のカバー１内に水蒸気が発生した場合でも、小孔１１から外部へ放出することができる。従って、環状物品のカバー１の内面が水滴によって曇るのを防止することが可能である。
また、この環状物品のカバー１は、連結されている雄側部７ａが雌側部７ｂをある程度の力で引っ張れば、その連結を解除することができる。従って、タイヤＴから環状物品のカバー１を簡単に外すことが可能である。このように、環状物品のカバー１をタイヤＴに対し容易に着脱することができる。
更に、タイヤＴから外した環状物品のカバー１は、別のタイヤに装着することもできる。すなわち、環状物品のカバー１は再利用することができる。
【００２０】
図６に示すように、この環状物品のカバー１を用いれば、タイヤＴより一回り大きいサイズのタイヤＴ２または図７に示すタイヤＴより一回り小さいサイズのタイヤＴ３を包む場合にも適用することができる。この場合でも、環状物品のカバー１はタイヤＴ２、Ｔ３を、その形状に沿う状態で覆うので、環状物品のカバー１内のタイヤＴ２、Ｔ３は外部からよく見える。このように環状物品のカバー１では、複数のサイズのタイヤに対応することが可能である。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、環状物品としてタイヤを示したが、タイヤ以外の環状物品、例えば電線やホースを環状に巻いて束ねたもの等、中心部分に中空の穴があるものであれば如何なるものであってもよい。
また、上記実施の形態では、本体部３を透明なポリエチレン、塩化ビニル等の熱可塑性プラスチック製シートによって構成したが、本発明はこれに限定されず、他のプラスチック製シートによって構成してもよい。
なお、上記実施の形態では、環状物品のカバー１を円環状に巻いておき、それを適当な寸法に切断して使用したが、予め切断しておいて、それを使用してもよいのは勿論である。
【産業上の利用可能性】
【００２２】
本発明の環状物品のカバーは、包装材料製造業等において利用可能である。
【符号の説明】
【００２３】
１…環状物品のカバー
３…本体部      ５…湾曲面
７…チャックテープ      ７ａ…チャックテープの雄側部
７ｂ…チャックテープの雌側部      １１…小孔
Ｔ…タイヤ      Ｔａ…タイヤの穴      Ｔ２…大きいサイズのタイヤ
Ｔ３…小さいサイズのタイヤ
【図１】
2012025412.tif 000003
【図２】
2012025412.tif 000004
【図３】
2012025412.tif 000005
【図４】
2012025412.tif 000006
【図５】
2012025412.tif 000007
【図６】
2012025412.tif 000008
【図７】
2012025412.tif 000009